(57)【要約】【課題】  接続管が継手本体に対して斜め方向から挿入されることを抑制し、接続管の極端な斜め挿入に起因する接続不具合を解消し、確実に接続管のワンタッチ接続を行うことができる差込式管継手を提供する。【解決手段】  差込式管継手１は、接続管１１を受け取る受口２２が端部に形成された継手本体２と、接続管１１の外面に押圧される抜止部材５を拡縮可能に保持しつつ受口２２の内部に係止されるカラー４と、カラー４を介して抜止部材５を継手本体２の端部に向かって付勢する弾性部材６とを備える差込式管継手において、継手本体２の端部内面とカラー４の端部外面との間隙に挿入され、カラー４の径方向の移動を規制する規制部７１と、接続管１１を挿通可能に設けられ継手本体２の中心軸方向への接続管２の挿入をガイドするガイド孔７３を有するカラー保護部７２とを有し、継手本体端部に固着されるガイド部材７を備える。【選択図】  図１
2011112180.tif 000002
【特許請求の範囲】
【請求項１】
接続管を受け取る受口が端部に形成された継手本体と、
前記接続管の外面に押圧される抜止部材を拡縮可能に保持しつつ、前記受口の内部に係止されるカラーと、
前記カラーを介して前記抜止部材を前記継手本体の端部に向かって付勢する弾性部材と、
を備える差込式管継手において、
前記継手本体の端部内面と前記カラーの端部外面との間隙に挿入され、前記カラーの径方向の移動を規制する規制部と、
前記接続管を挿通可能に設けられ、前記継手本体の中心軸方向への前記接続管の挿入をガイドするガイド孔を有するカラー保護部と、
を有し、前記継手本体端部に固着されるガイド部材を備えることを特徴とする差込式管継手。
【請求項２】
前記ガイド孔は、その内径が前記カラーの内径より小径で、かつ前記接続管の外径より大径であることを特徴とする請求項１に記載の差込式管継手。
【発明の詳細な説明】
【技術分野】
【０００１】
本発明は、給水又は給湯用ステンレス鋼管などの配管をワンタッチで接続するために使用される差込式管継手に関する。
【背景技術】
【０００２】
この種のワンタッチ方式の差込式管継手として、図６に示されている差込式管継手がある。この差込式管継手１ａは、接続管１１が挿入される受口（大径部）２２を有する継手本体２と、接続管の外周部に接触して継手本体２に対する接続管の抜止を行う抜止部材５と、抜止部材５を保持して受口の内部に配置されるカラー４と、受口内面に形成されたテーパ面２６に向かってカラー４を介して抜止部材を付勢する弾性部材６とを備えている（特許文献１を参照）。この差込式管継手１ａは、受口２２に接続管１１が挿入されると、抜止部材５がカラー４と共に継手奥側へ移動しつつその先端が接続管の外周部に沿うように拡径するので、接続管は継手本体の奥側へ挿入され、このとき、抜止部材５はカラーを介して弾性部材６によって受口内面に形成されたテーパ面２６に付勢されており、その先端が接続管１１の外周部に押圧されて接続管の抜止が行われる。これにより、接続管１１を継手本体１ａに挿入するだけで接続が完了する、いわゆるワンタッチ接続を実現するものである。
【０００３】
【特許文献１】特開２００９−２４５６号公報（図１〜図１０）
【発明の開示】
【発明が解決しようとする課題】
【０００４】
しかし、上記従来の差込式管継手では、カラー４の継手奥側の端部は弾性部材６によって支持されているだけであるので、継手の軸心に対して極端に斜め方向から接続管が挿入される、あるいは誤って接続管の端部でカラー４の端部を押されるなどした場合に、カラー４が受口内部で大きく傾くことによって抜止部材５の拡径動作が阻害されて、接続管のワンタッチ接続ができなくなるおそれがある（図７を参照）。さらに、極端にカラーが傾いた場合には、保持された抜止部材５がカラー４から脱落して接続管１１の接続ができなくなるおそれもある。
【０００５】
本発明は、このような問題点を解消するためになされたものであり、その目的は、継手の中心軸線に対して極端に斜め方向から接続管が挿入される心配がなく、また、接続管の端部によってカラーを誤動作させる心配がなく、確実に接続管のワンタッチ接続を行うことができる差込式管継手を提供することである。
【課題を解決するための手段】
【０００６】
上記目的を達成するために、本発明の差込式管継手は、
接続管を受け取る受口が端部に形成された継手本体と、
前記接続管の外面に押圧される抜止部材を拡縮可能に保持しつつ、前記受口の内部に係止されるカラーと、
前記カラーを介して前記抜止部材を前記継手本体の端部に向かって付勢する弾性部材と、
を備える差込式管継手において、
前記継手本体の端部内面と前記カラーの端部外面との間隙に挿入され、前記カラーの径方向の移動を規制する規制部と、
前記接続管を挿通可能に設けられ、前記継手本体の中心軸方向への前記接続管の挿入をガイドするガイド孔を有するカラー保護部と、
を有し、前記継手本体端部に固着されるガイド部材を備えることを特徴とするものである。
【０００７】
また、上記の差込式管継手において、前記ガイド孔は、その内径が前記カラーの内径より小径で、かつ前記接続管の外径より大径であることが望ましい。
【発明の効果】
【０００８】
本発明の差込式管継手によれば、継手本体の端部内面と前記カラーの端部外面との間隙に挿入され、前記カラーの径方向の移動を規制する規制部と、前記接続管を挿通可能に設けられ、前記継手本体の中心軸方向への前記接続管の挿入をガイドするガイド孔を有するカラー保護部と、を有し、前記継手本体端部に固着されるガイド部材を備えるので、継手内部におけるカラーの移動が規制されて接続管の継手本体への斜め挿入が抑制され、カラーの径方向の移動に起因する不具合を発生させることなく確実に接続管のワンタッチ接続を行なうことが出来る。
【発明を実施するための形態】
【０００９】
以下、図面を参照して本発明の一実施の形態に係る差込式管継手について説明する。図１は本発明の一実施の形態に係る差込式管継手の断面図、図２は接続管の差込み途中状態を示す同差込式管継手の断面図、図３は接続管の差込完了後の状態を示す同差込式管継手の断面図である。なお、図６に示す従来技術と同一部分については同一の参照符号を付している。
【００１０】
図１に示すように、管継手１は、ソケット状の継手本体２と、接続管（不図示）と継手本体２とをシールするシール部材３と、継手本体２の一端側に設けられたカラー４と、カラー４に保持された抜止部材５と、カラー４とシール部材３との間に介装された弾性部材６と、継手本体２の端部に設けられたガイド部材７とを備えている。
【００１１】
管継手１を構成する各部の詳細は次の通りである。
継手本体２は、中心軸方向に貫通する中空の部材であって、内部には第1段部２１が形成されている。第1段部２１は、それを挟んで一端に向かって大径部２２、他端に向かって小径部２３が形成されている。大径部２２には第1段部２１から順に内径が段階的に拡大するように第２段部２４、第３段部２５が形成され、第３段部から端部に向かって先細りとなるテーパ面２６が形成されている。また、継手本体２の小径部側の端部外周には、他の部材に形成されている雌ネジの接続口（不図示）に接続される雄ネジ部２７が形成されている。
【００１２】
シール部材３は、基体部３１と、基体部３１から内径側に突出するリップ部３２とからなる、弾性を有する環状の部材であり、基体部の外周面が継手本体の内周面に密着するように第２段部２４の奥側に装着されている。シール部材３の内周側には、リップ部３２を収める周溝８１が形成された保護スリーブ８が装着されている。保護スリーブ８は、第１段部２１に案内されるガイド部８２と、接続管が挿入される前の状態（拡径される前の状態）のリップ部３２を収める周溝８１と、施工時に接続管の端部外周を覆うスカート部８３とが設けられている。
【００１３】
カラー４は、接続管が挿通可能な内径を有し、後述する抜止部材５が内径側に脱落することなく保持される保持孔４１が周方向に複数箇所設けられた筒状の部材であって、保持孔４１に抜止部材５を保持した状態で、継手本体２の端部内径側へ装着されている。カラー４は、外周に係止段部４２が形成され、継手本体２の端部内周の溝部２８に嵌込まれた係止リング９に係止段部４２が係合し、継手本体２の内部に装着されている。
【００１４】
抜止部材５は、内周面に複数条のエッジ部５１ａ、５１ｂを有する、断面が円弧状（外側に湾曲）に形成された部材であり、エッジ部５１ａ、５１ｂがカラー４の内周面から突出するように、その円周方向に沿って（例えば等角度間隔で）複数個が取付けられている
【００１５】
弾性部材６は、保護部材８のスカート部８３に当接しＬ字状断面を有するスペーサー１０と、カラー４の継手奥側端部に形成された座面４３との間に装着された圧縮コイルバネであって、これによりカラー４は継手端部側に向かって付勢されている。
【００１６】
ガイド部材７は、継手本体２の端部内周面とカラー４の端部外周面との隙間に挿入される円筒状の規制部７１と、カラー４の端部を保護するようにカラーのさらに外側（図中右側）に設けられたカラー保護部７２とを備え、継手本体２の端部に装着されている。ガイド部材７は継手本体２の端部から容易に外れることがないように例えば接着などによって固着されている。
【００１７】
上記の差込式管継手１によれば、継手本体２に全ての部品が組込まれた、図１に示す差込式管継手１を準備し、次いで、継手本体２の端部から、接続管１１（例えばＳＵＳ３０４製鋼管）を挿入するだけで接続管１１との接続作業が完了する。このときの各部品の動作について順に説明する。
【００１８】
まず接続管１１が端部から挿入されると、接続管１１はガイド部材７のガイド孔７３を通過してカラーに挿入される。このとき、もし継手本体２の軸心に対しての斜め方向から接続管１１が挿入されても、継手本体２の端部にはガイド部材７が装着されており、カラーの径方向の移動は規制部７１によって規制されるので、図７の差込式管継手１ａようにカラー４が斜め方向に大きく傾くことはない。これにより、従来、管の斜め挿入時に見られたカラー４が大きく傾くことによって生じる抜止部材５の動作不良による、接続管１１の挿入不具合や、カラー４からの抜止部材５の脱落などが生じることが防止される。また、カラー４の端部は、その内径よりも小径のガイド孔７３が設けられたカラー保護部７２で覆われているので、接続管１１の端部で誤ってカラー４の端部の一部を押してしまうことによる同様の不具合の発生が防止される。
【００１９】
カラー４に接続管１１が挿入されると、抜止部材５は、カラー４を伴って弾性部材６の付勢力に抗して継手奥側に向かって移動しつつ拡径し、接続管１１を通過させる。
【００２０】
抜止部材５を通過した接続管１１は、スペーサー１０を通過して保護部材８の当接部８４に当接し、端部外周がスカート部８３で保護された状態で、シール部材３を通過して、第1段部２１の奥に保護部材の先端が突き当たるまで挿入される。このとき、接続管１１の端部はスカート部８３によって保護されているので、接続管１１の端部がシール部材３に接触することによるシール部材３の傷つきが防止される。（図２を参照）
【００２１】
また、接続管１１の挿入が完了したとき抜止部材５は、弾性部材６によってカラー４を介してテーパ面２６に付勢されており、エッジ部５１ａ、５１ｂが接続管の外周面に押圧されて、接続管１１と差込式管継手１とが強固に接続される。（図２、図３を参照）
【００２２】
本発明の差込式管継手１において、各部を構成する材料は、継手の用途や接続管の種類などに応じて適宜設定すればよく、例えばオーステナイト系ステンレス鋼（ＳＵＳ３０４）からなる接続管を用いた給水給湯配管の場合には、継手本体をステンレス鋳鋼（ＳＣＳ材）などの耐食性を有する金属材料で形成すればよい。また係止リング、圧縮コイルバネは、オーステナイト系ステンレス鋼（ＳＵＳ３０４等）などの耐食性を有する金属材料で形成すればよい。特に抜止部材８は、接続管より硬質の材料、例えば接続管がオーステナイト系ステンレス鋼（ＳＵＳ３０４）の場合は、マルテンサイト系ステンレス鋼（ＳＵＳ４２０）で形成することが好ましい。
【００２３】
上記以外の部品は、それほど大きな機械的強度を必要としないので、高分子材料などの非金属材料で形成することができる。カラーやガイド部材は、架橋ポリエチレンなどの汎用エンジニアリングプラスチックや、優れた耐熱性を有するＰＰＳ（ポリフェニレンサルファイド）などの特殊エンジニアリングプラスチックで形成することができる。シール部材の材料としては、弾性体、例えばオレフィン系ゴムを使用でき、特に耐熱性に優れたエチレンとプロピレン及び架橋用ジエンモノマーとの３元共重合体であるエチレン−プロピレン−ジエンゴム（ＥＰＤＭ）を使用することが好適である。また耐熱性とともに耐薬品性にも優れたＦＫＭ（フッ素ゴム）などで形成することもできる。保護スリーブは、例えばポリオレフィンなどの汎用エンジニアリングプラスチックで形成することができる。
【００２４】
本発明は、上記の実施の形態に限定されず、種々の変更が可能である。上記の実施の形態では、ガイド部材の規制部は円筒状に設けたが、規制部は継手本体の端部内周面とカラーの外周面との隙間に挿入されカラーの径方向の移動を規制すればよく、例えば図４に示すように、同一円周状に設けられた複数の規制片７１ａとすることもできる。また、ガイド部材の継手本体への固着は、例えば図５に示すように規制部７１に係止突起７４を形成し、継手本体の対応する部分に設けられた係止凹部（不図示）に係止突起７４を係止させることによって行うこともできる。
【００２５】
また上記の実施の形態では、継手本体の片口に接続管を接続する差込式管継手について示したが、両口に接続管の接続を行うソケット型差込式管継手、エルボ型差込式管継手等にも適用できることは勿論である。また、接続管としては、ステンレス鋼管等の金属管に限られず、樹脂製の接続管、例えば塩化ビニール製の接続管などにも適用することができる。
【図面の簡単な説明】
【００２６】
【図１】本発明の実施の形態に係る差込式管継手の断面図である。
【図２】図１の差込式管継手へ接続管を途中まで挿入した状態す断面図である。
【図３】図１の差込式管継手へ接続管を挿入完了位置まで挿入した状態を示す断面図である。
【図４】ガイド部材の他の形態を示す半欠裁断面図である。
【図５】ガイド部材の他の形態を示す半欠裁断面図である。
【図６】従来例の差込式管継手を示す半欠裁断面図である。
【図７】従来例の差込式管継手に接続管が斜め方向に挿入された状態を示す断面図である。
【符号の説明】
【００２７】
１、１ａ：差込式管継手
２：継手本体、２１：第１段部、２２大径部、２３：小径部、２４：第２段部、２５：第３段部、２６：テーパ面、２７：雄ネジ部、２８：溝部
３：シール部材、３１：基体部、３２：リップ部
４：カラー、４１：保持孔、４２：係止段部
５：抜止部材、５１ａ、５１ｂ：エッジ部
６：弾性部材、
７、７ａ、７ｂ：ガイド部材、７１：規制部、７１ａ：規制片、７２：カラー保護部、７３：ガイド孔、７４：係止突起
８：保護部材、８１：周溝、８２：ガイド部、８３：スカート部
９：係止リング
１０：スペーサ
１１：接続管
【図１】
2011112180.tif 000003
【図２】
2011112180.tif 000004
【図３】
2011112180.tif 000005
【図４】
2011112180.tif 000006
【図５】
2011112180.tif 000007
【図６】
2011112180.tif 000008
【図７】
2011112180.tif 000009